(57)【要約】【課題】野外での鉱物資源調査時に有用に使用可能な多目的鉱物資源調査キットに関する。【解決手段】前記多目的鉱物資源調査キットは、円筒状のランプが内蔵して設けられるランプ部と、前記ランプ部の長手方向に沿って、前記ランプ部と一体に形成される電源供給部と、前記一体に形成された前記ランプ部と前記電源供給部との一側に結合して装着される工具部とを含んでいる。【選択図】図１
2014055937.tif 000002
【特許請求の範囲】
【請求項１】
円筒状のランプが内蔵して設けられ、その長手方向に沿って、前記ランプと一体に形成される電源供給部を備えるランプ部と、
前記ランプ部の一側に結合して装着される工具部とを含み、
前記工具部は、前記ランプ部に回動可能に装着されることを特徴とする多目的鉱物資源調査キット。
【請求項２】
前記ランプ部に内蔵して設けられるランプは、ＵＶランプであることを特徴とする請求項１に記載の多目的鉱物資源調査キット。
【請求項３】
前記電源供給部は、内蔵型バッテリであることを特徴とする請求項１に記載の多目的鉱物資源調査キット。
【請求項４】
更に、前記電源供給部に連結される外部電源充電部を含むことを特徴とする請求項３に記載の多目的鉱物資源調査キット。
【請求項５】
前記外部電源充電部は、ＵＳＢ方式の充電部であり、着脱可能なＵＳＢ充電ケーブルが連結されることを特徴とする請求項４に記載の多目的鉱物資源調査キット。
【請求項６】
前記工具部は、それぞれ、爪痕板部、ルーペ部、磁石部、及び鉄筆部であることを特徴とする請求項１に記載の多目的鉱物資源調査キット。
【請求項７】
前記工具部を成す爪痕板部、ルーペ部、磁石部、及び鉄筆部は、摺動可能に配置されていることを特徴とする請求項６に記載の多目的鉱物資源調査キット。
【請求項８】
前記摺動は、滑り止めによって達成されることを特徴とする請求項７に記載の多目的鉱物資源調査キット。
【請求項９】
前記工具部を成す爪痕板部、ルーペ部、磁石部、及び鉄筆部は、それぞれ分離して回動可能に装着されていることを特徴とする請求項１に記載の多目的鉱物資源調査キット。
【発明の詳細な説明】
【技術分野】
【０００１】
本発明は、多目的鉱物資源調査キットに関し、更に詳しくは、調査者が野外で鉱物資源の調査を行う場合、既存の様々な装備を所持しなくても、小型サイズのキットを構成して、鉱物資源の調査を便利に行う多目的鉱物資源調査キットに関する。
【背景技術】
【０００２】
一般に、鉱物資源の調査は野外で行われ、ここでは、採石装備を始めて、様々な装備が必要である。
【０００３】
鉱物資源の調査は、一部の飛行機や船舶を利用した広帯域調査を除外し、殆ど地上で移動しながら、調査を行うようになる。
【０００４】
このような野外の鉱物資源の調査に際しては、様々な装備が必要であるため、これらを所持したまま、野外に出るようになる。
【０００５】
野外で様々な鉱物資源を収集し、収集した資源を研究室で分析する方法が望ましいが、場合によっては、簡単な鉱物の特性程度は、野外の現場ですぐ調査することができると更に望ましい。
【０００６】
例えば、現場ですぐ確認可能な簡単な鉱物の特性としては、条痕色、鉱物の微細構造、磁性を呈しているか否か、見掛け硬度(モールス硬度)はどの程度であるか、などが挙げられる。
【０００７】
このような多数の鉱物特徴を簡単に調査することができると、非常に便利になるはずであるが、野外の鉱物調査時に装備の数が増えると、紛失や取扱いが困難になることがあるので、できるだけ、コンパクト化するのが望ましい。
【０００８】
しかし、特許文献１では、着脱可能な多目的マルチポケットを備えた胴衣の構成を開示しており、野外の鉱物資源調査の現場で一部便利なことはあるが、コンパクトした構成ではないという不都合があった。
【０００９】
また、特許文献２では、多量の品物を用途別に区切って収納可能な収納空間を備える多目的かばんの構成を開示しており、野外の鉱物資源調査の現場で一部便利なことはあるが、特許文献１と同様に、コンパクトした構成ではないという不都合があった。
【先行技術文献】
【特許文献】
【００１０】
【特許文献１】大韓民国登録特許公報第１０−１１６９３６６号(2012.07.23. 登録)
【特許文献２】大韓民国登録実用新案公報第２０-０４３９７８１号(2008.04.28. 登録)
【発明の概要】
【発明が解決しようとする課題】
【００１１】
そこで、本発明の目的は、多数の作業用装備をコンパクトに携帯することができるキットを提供することである。
【課題を解決するための手段】
【００１２】
本発明の好適な実施例による多目的鉱物資源調査キットは、円筒状のランプが内蔵して設けられ、その長手方向に沿って、前記ランプと一体に形成される電源供給部を備えるランプ部と、前記ランプ部の一側に結合して装着される工具部とを含むことを特徴とする。
【００１３】
ここで、前記ランプ部に内蔵して設けられるランプは、ＵＶランプであることが望ましい。
【００１４】
また、前記電源供給部は、内蔵型バッテリであることが更に望ましい。
【００１５】
また、本発明の多目的鉱物資源調査キットは、更に、前記電源供給部に連結される外部電源充電部を含むことができる。
【００１６】
また、前記外部電源充電部は、ＵＳＢ方式の充電部であり、着脱可能なＵＳＢ充電ケーブルが連結されるのが望ましい。
【００１７】
前記工具部は、それぞれ、望ましくは、爪痕板部、ルーペ部、磁石部、及び鉄筆部からなることができる。
【００１８】
また、前記工具部を成す爪痕板部、ルーペ部、磁石部、及び鉄筆部は、摺動可能に配置されているのが望ましい。
【００１９】
前記摺動は、滑り止めによって達成されることができる。
【００２０】
また、前記工具部は、前記一体に形成されたランプ部に回動可能に装着されることができる。
【００２１】
また、前記工具部を成す爪痕板部、ルーペ部、磁石部、及び鉄筆部は、それぞれ分離して回動可能に装着されているのが望ましい。
【発明の効果】
【００２２】
上述した本発明の構成によると、従来、分散されている野外鉱物資源調査用装備をコンパクトに構成しているので、より簡便な野外鉱物資源の調査が可能となる。
【図面の簡単な説明】
【００２３】
【図１】図１は、本発明の好適な実施例による多目的鉱物資源調査キットの平面図である。
【図２】図２は、本発明の好適な実施例による多目的鉱物資源調査キットの一側面図である。
【発明を実施するための形態】
【００２４】
本発明の利点及び特徴、そして、これらを達成する方法は、添付の図面と共に詳細に後述されている実施例を参照すると、明確になるだろう。
【００２５】
しかし、本発明は、以下に開示される実施例に限定されることではなく、互いに異なる様々な形態に具現され、単に、本実施例は、本発明の開示が完全になるようにし、本発明が属する技術の分野における通常の知識を有する者に、発明の範疇を完全に公知するために提供されるものであり、本発明は、請求項の範疇により定義されるだけである。
【００２６】
また、本発明を説明することに当たり、関連する公知技術などが本発明の要旨を濁ごしていると判断される場合、それに関する詳しい説明は、省略することにする。
【００２７】
明細書の全般に亘って、同一の参照符号は、同一の構成要素を示している。
【００２８】
まず、野外鉱物資源の調査時に有用な装備について、簡単に説明する。
【００２９】
上述しているように、野外鉱物資源の調査に際しては、様々な装備が必要であり、例えば、ＵＶ光源、爪痕板、ルーペ(loupe)、磁石、鉄筆などである。
【００３０】
ＵＶ光源は、蛍光を呈する鉱物資源を調査する時、有用である。
【００３１】
一部鉱物の場合、鉱物に短波長の紫外線を照射すると、可視光線の形態で蛍光を発し、重石-方解石-錫などは、前記ＵＶ光源を照射して、それぞれの鉱物を特定することができる。  
【００３２】
また、爪痕板は、鉱物の条痕色を検査することにおいて使用し、表面が荒くて白い素焼きした陶磁器板を言う。
【００３３】
ここで、条痕色とは、特定の鉱物を爪痕板に擦った時、この鉱物が粉となって現われる色相を言うが、各鉱物粉の色相は、鉱物の形態、光沢、見掛け色相によらず、特定の鉱物により、いつも一定の色相を示す特徴がある。
【００３４】
参照として、鉱物の条痕色は、大体に、鉱物の見掛け色相と類似しているが、一部鉱物の場合、見掛け色相と全く異なる場合もあり、例えば、赤鉄石の場合、茶色、緑色、黒色など、様々な色相で観られるが、条痕色は、いつも明らかな赤茶色を呈する。
【００３５】
一方、黄鉄石、黄銅石、黄金は、見掛上いずれも、光沢と共に黄色を帯びているが、条痕色はそれぞれ、黒色、緑黒色、黄金色を呈する。
【００３６】
そこで、鉱物の(見掛け)色相が同一である場合も、爪痕板を用いて条痕色を特定すると、それぞれの鉱物を容易に鑑別することができる。
【００３７】
また、ルーペは、鉱物の外観を拡大して、該当鉱物の色相やその周りを検査し、それぞれの鉱物を特定することにおいて、有用な工具である。
【００３８】
磁石は、鉱物資源の調査に際して、該当鉱物が磁性を帯びているかを確認することにおいて、有用である。
【００３９】
また、鉄筆は、材質が鉄(Fe)であることが望ましく、モールス硬度が5.5程度であるので、モールス硬度クラスに関して、各鉱物の硬度を分類することにおいて、有用である。
【００４０】
鉄筆の材質は、鉄に限定されることではなく、必要であると、硬度を高めるために、鉄筆の先端部にダイヤモンドを固定することもできる。
【００４１】
図１、図２は、本発明の好適な実施例による多目的鉱物資源調査キットの平面図、及び一側面図であり、筐体５の一側面に内蔵して設けられるランプ１０、前記ランプ１０に電源を供給するための電源供給部２０、前記電源供給部２０に外部ケーブルを接続する形態としての外部電源充電部２５を備えるランプ部１５と、前記ランプ部１５に回動可能に接続される多数の工具取付部３０、５０、７０、９０とを示している。
【００４２】
図１は、前記多数の工具取付部３０、５０、７０、９０は、最大使用位置に伸ばした状態を示しており、それぞれの工具４０、６０、８０、１００は、使用が終了すると、最小使用位置である後退空間(А、図２参照)内に後退挿入される。
【００４３】
一方、前記ランプ部１５に内蔵して設けられるランプ１０は、ＵＶランプであることが望ましい。
【００４４】
前記ランプ１０は、上述したように、特定の鉱物にＵＶ光を照射する用途として使用され、ＵＶ光を照射した鉱物が蛍光を発すると、該当鉱物を特定することができるようになる。
【００４５】
また、前記電源供給部２０は、Ｌｉポリマ電池のような二次電池の形態で形成するのが望ましい。
【００４６】
更に、前記外部電源充電部２５は、ミニＵＳＢピンで構成することが望ましく、必要により、外部ＵＳＢケーブルに接続して充電される構成であることが最も望ましい。
【００４７】
それで、前記電源供給部２０の充電電圧は、ＵＳＢの標準出力電圧となることができる    
【００４８】
これとは異なり、前記電源供給部２０と前記外部電源充電部２５とを省略し、市販のバッテリを使用する構成を取ることもでき、この場合は、ＵＳＢ電源が放電される場合にも、バッテリを購入して鉱物資源の調査を続くことができるというメリットがある。
【００４９】
図１において、符号１２は、前記ランプ１０から照射されるＵＶ光の照射方向を示す。
【００５０】
図１において、多数の工具取付部３０、５０、７０、９０は、ランプ部１５に回動可能に形成されており、図２に示しているように、前記ランプ部１５を軸として、符号２２の方向又は２４の方向に回動可能であるように構成されている。
【００５１】
前記多数の工具取付部３０、５０、７０、９０には、その端部にそれぞれ、鉄筆４０、磁石６０、ルーペ８０、及び爪痕板１００のような工具が形成されている。
【００５２】
前記鉄筆、磁石、ルーペ、及び爪痕板の用途については、前述した通りである。
【００５３】
前記多数の工具取付部３０、５０、７０、９０に形成されたそれぞれの工具は、摺動可能に形成されており、この摺動は、多数の工具取付部３０、５０、７０、９０に形成された滑り止め３５、５５、７５、９５によって行われる。
【００５４】
図１からみると、図面の下端に、滑り止め３５、５５、７５、９５の少なくとも１つを最大限押圧すると、前記多数の工具取付部３０、５０、７０、９０が最大伸張位置に摺動するようになり、この時、該当工具４０、６０、８０、１００の少なくとも１つを使用することができるようになる。
【００５５】
但し、安全のため、一回に２以上の工具４０、６０、８０、１００を同時に使用することは、望ましくない。
【００５６】
それぞれの工具４０、６０、８０、１００を使用した後は、逆に、滑り止め３５、５５、７５、９５を、図面から上端に押入すると、図２の空間(А)内にそれぞれの工具４０、６０、８０、１００が後退挿入される。
【００５７】
鉄筆４０の場合は、上述したように、その先端部にダイヤモンドを固定して、硬度の測定に役に立つこともできる。
【００５８】
また、磁石６０の場合、外部に露出して破損しないように、磁石６０の周りに、磁石保護部６５を形成しておくことが望ましい。
【００５９】
また、ルーペ８０は、直径が１０mm以上で、倍率は、８倍〜２０倍程度であるのが望ましく、必要により、他の倍率のルーペに交換して装着することもできる。
【００６０】
同様に、爪痕板１００も、繰返し使用した後に、交換するように形成するのが望ましい。    
【００６１】
一方、前記多数の工具取付部３０、５０、７０、９０はそれぞれ、互いに対して分離され、回動可能に装着されているのが望ましい。
【００６２】
それで、前記工具４０、６０、８０、１００の少なくとも１つを使用しようとする場合、他の工具との衝突なく、必要な工具だけを、ランプ部１５を基準に回動させて使用することができる。
【００６３】
図２は、本発明の好適な実施例による多目的鉱物資源調査キットの一側面図であって、特に、鉄筆４０を強調して示している。
【００６４】
図２において、前記鉄筆４０は、最大伸張位置に置かれており、鉄筆４０の使用が終了すると、滑り止め３５を、図面の左側方向に押圧して、空間(А)内に鉄筆４０を後退挿入させることにより、安全な状態で鉄筆４０を保管することができる。
【００６５】
以上、一部を挙げて本発明の好適な実施例による多目的鉱物資源調査キットについて説明したが、このような説明は、例示に過ぎず、本発明が属する技術の分野における通常の知識を有する者であれば、以上の説明から本発明を多様に変形して実施するか、本発明と均等な実施を行うことができるということは、よく理解するだろう。
【符号の説明】
【００６６】
５    筐体
１０    ランプ
１２    ＵＶ光の照射方向 
１５    ランプ部
２０    電源供給部 
２５    外部電源充電部
３０、５０、７０、９０    工具取付部
４０    鉄筆
６０    磁石
８０    ルーペ
１００    爪痕板
Ａ    後退空間 
【図１】
2014055937.tif 000003
【図２】
2014055937.tif 000004